(57)【要約】【課題】  歯ブラシの支持棒と歯の干渉を無くし、ブラシと歯の均一な接触による歯磨き効果の向上をはかるとともに、刷毛の埋め込み作業が現行のシステムにより行えることを課題とした．【解決手段】  支持棒の一端に鍵状の突起を設け、その突起の一側面に刷毛を埋め込む．これによって刷毛が支持棒の軸と直接交差しないようになり、支持棒が歯に当たらなくなる．また、この構造の歯ブラシ２本を刷毛が向い合うように突起と反対側の支持棒の端部を連結し、Ｕ字またはＶ字状の二連式歯ブラシとし、歯の両面を同時に磨けるようにする．１本の支持棒の両端に刷毛を設け、支持棒の中間で折り曲げてＵ字またはＶ字状に加工しても良い．突起は支持棒と一体に成形したものと、支持棒に嵌めこんで刷毛を移動や回転が出来るようにしたものがあり、後者の歯ブラシは奥歯の端部まで綺麗に磨ける．【選択図】  図１
2006075558.tif 000002
【特許請求の範囲】
【請求項１】
支持棒の一方の端部に鍵状の平板突起を有し、この突起の左右どちらかの側面に馬毛またはプラスチックなどの繊維を刷毛状に装着してある歯ブラシ
【請求項２】
請求項１記載の突起が支持棒と嵌め合いによって連結されている構造となっており、突起を移動または回転させて刷毛の向きを変えられる歯ブラシ
【請求項３】
請求項１の歯ブラシが２本平行に刷毛が互いに向き合うように並び、もう一方の支持棒の端部が互いに連結された二連構造の歯ブラシ
【請求項４】
請求項２の歯ブラシが２本平行に刷毛が互いに向き合うように並び、もう一方の支持棒の端部が互いに連結された二連構造の歯ブラシ
【発明の詳細な説明】
【技術分野】
【０００１】  本発明は、歯ブラシの刷毛の装着形態に関する．
【背景技術】
【０００２】  歯ブラシは、１本のほぼ直線状の支持棒と刷毛の部分より構成されているものが主として使用されている．刷毛に電気的に振動を与えて便利性を与えた歯ブラシも市場に出ている．支持棒はプラスチックの棒状成形品が主に使われており、刷毛は棒の先端に埋め込まれた馬毛またはプラスチックの繊維を集束したもので出来ている．支持棒の軸と刷毛の繊維方向は交差する構造となっている．また刷毛を支持棒の先端に相対して２個設け、歯の両面を同時に磨ける様にしたものも考案されているが実用化されていない．
【特許文献】  特開  ２０００−１２５９４０  特開  ２００３−２４５１２９  実願  平１１−２０９
【発明の開示】
【発明が解決しようとする課題】
【０００３】  歯ブラシは、歯の付け根を十分に磨き歯垢を取って歯周病を防ぎ、虫歯を予防するために使用する物である．しかし現在使われている歯ブラシは、構造的に歯の前面は良く磨けるが、裏面特に前歯の裏側や奥歯の端部などは支持棒が歯と干渉して磨き難い欠点がある．また歯にたいする圧力が場所によって均等ではなく、歯茎を痛める事がある．本発明はこれらの歯ブラシの欠点を改善することを課題とする．このような課題に対し過去にいろいろと発明がなされているが、いずれも構造が複雑なため刷毛の埋め込みを在来の自動機械で実施することが難しく実用にならなかった．本発明では構造を簡単化して現行の刷毛の自動埋め込み加工システムが適用出来る事を併せて課題とした．
【課題を解決するための手段】
【０００４】  歯に対して歯ブラシの刷毛は、均等に接触することが望ましい．しかし支持棒の端部に刷毛が位置する現在の歯ブラシでは、支持棒が歯に当り均等に接触しない部分を生ずる．そのために前歯の裏側や奥歯の端部は歯を磨き難い．そこで支持棒の軸と刷毛の繊維方向が交差しないようにして支持棒が歯に当たらないように工夫した．このために支持棒の先端に鍵状の形の突起を設け、その側面に刷毛を埋め込むようにした．突起は支持棒と連続一体となった形で成形されたものか、支持棒に嵌めこんで取り外し、取りつけ、移動や回転などが出来る嵌めこみ構造とする．支持棒や刷毛の材質、製造法は現行の歯ブラシと同じ材質、方法を採用する．支持棒が１本のときは、刷毛の向きによって磨けない歯が出てくる．このため突起が支持棒に固定されているときは刷毛の向きが逆になった歯ブラシを準備する．突起が支持棒に嵌めこみ式のときは突起を移動したり回転することが可能となるので１本の歯ブラシで間に合う．刷毛を直角に回転させると奥歯の端部を磨くのに都合が良い．この歯ブラシを２本平行に支持棒先端の刷毛が互いに向き合うように並べ、刷毛と反対側の支持棒端部で互いに連結固定する．これによって歯の両面を同時に磨ける２連式の歯ブラシが出来る．１本の支持棒の両端に刷毛を形成し、支持棒の中間を刷毛が同じ位置となるように折り曲げても良い．刷毛は互いに水平か、刷毛の先端が支持棒の外側を向くように少し角度をつけて歯茎に良く接触するようにする．支持棒はデザインと機能性を考慮し湾曲を持たせても良い．２本の支持棒の連結法は、あらかじめ２本の指示棒がＵ字状またはＶ字状になったプラスチック成形品を用いたり、２本の支持棒の歯毛と反対側の端部をネジ止めや嵌め合いなどの機械的方法で連結したり溶接して連結する．刷毛と反対側の支持棒の端部に握り部を設け歯磨きに便利になるようにすることも出来る．親指と人差し指で２本の支持棒を挟み、刷毛と歯の接触圧力の程度を調節しながら歯を磨けるように材料の選択や支持棒の太さや長さを設計する．刷毛は突起部側面に形成される．この突起部が支持棒から取り外し可能となるように嵌めこみ式にすると、２本の支持棒の先端に橋渡しになるような嵌めこみも可能となる．この場合は刷毛が支持棒に対し直角に位置することとなり、奥歯の端部も綺麗に磨く事が可能となる．嵌めこみの方法はカセット式剃刀などで採用されているレール式の方法などのほか、現在広く採用されている定法が採用できる．本発明の歯ブラシは電気振動を刷毛に与えるなどの機能を付加することも現行歯ブラシと同じように可能である．
【発明の効果】
【０００５】  本発明の歯ブラシは、支持棒と歯の干渉が殆どなくなるので、刷毛と歯が均等に接触し歯の磨きむらを少なく出来る．これによって歯茎に対する磨き効果が現行品より良くなる．２連式の歯ブラシは歯の両側を同時に磨く事が出来るので効率も良い．
このほか、歯磨き時間の増加効果が期待される．多くの人の平均歯磨き時間は約３分前後と言われている．専門家はこれに対し５分は必要と勧告しているが、なかなか実現が難しい状況になっている．本発明の歯ブラシでは歯の表裏を同時に磨くことが出来るので、従来の歯磨き時間でも十分に磨き効果を発揮できる．
また消費者は突起部だけを交換すれば支持棒は長期間使う事が可能となり、省資源や環境問題にも寄与できる．出費も少なくなる．
【発明を実施するための最良の形態】
【０００６】  本発明の最良の形態は２連式の歯ブラシである．これに使用する原材料や刷毛の装着法や構成は現行の方法により行う．図１に示すように刷毛を支持棒の両端の突起部に形成し、支持棒の中間を折り曲げて刷毛が相対する様に仕上げた歯ブラシが最も簡単で有効性の高い物と考えられる．この場合は、刷毛の埋め込み作業が現行の設備方法をそのまま採用できる．始めから２個の突起の位置が近接して対になっていると刷毛の組み込みが複雑になり、このための自動機の開発と投資が必要になってくる．突起部は支持棒に嵌めこむ構造が良い．突起を支持棒に対し直角に回転させ、２本の支持棒の先端に橋渡し状にする事が可能となり奥歯の端部も良く磨くことができる．
【産業上の利用可能性】
【０００７】  本発明の歯ブラシは支持棒と刷毛が位相の異なる位置構造となっているが、構造が簡単で従来から使われてきた生産システムを使うことが出来る．原価も従来品より相対的に安くなり、使用に当たっても歯磨き効果や便利性が高まるので消費者にも十分に受け入れられると考えられる．省資源や環境問題についても時流に沿っており産業上受け入れ易い．
【図面の簡単な説明】
【０００８】
【図１】本発明の歯ブラシを上面から見たときの一例である．支持棒の中央部を折り曲げた構造となっている．
【図２】図１の歯ブラシの折り曲げ部をなくし、互いに結合連結した構造の歯ブラシの例である．結合は、ボルト締め、接着、嵌めこみカバーなどによる．この結合部の上から被覆カバーを付けて握りに便利な様に加工する事も可能である．
【図３】突起の部分の説明図である．支持棒は鍵形あるいは鉤形構造となっている．突起は支持棒と一体構造にするか嵌めこみ構造にする．
【符号の説明】
【０００９】    １    支持棒                      ２    連結結合部
３    刷毛                        ４    突起部
５    嵌め合い部
【図１】
2006075558.tif 000003
【図２】
2006075558.tif 000004
【図３】
2006075558.tif 000005